(57)【要約】      （修正有）【課題】２種の異なる大きさで相同接点配列を備える電子カードを安定的に接続可能な電子カードコネクターを提供する。【解決手段】電子カードコネクターは第一電子カード及び第二電子カードを接続する。該第二電子カードは該第一電子カードに比べ薄く、しかも幅が狭い。該第一、二電子カードの一端には相同排列の接点を設置する。該電子カードコネクターはプラスチック台体、上蓋を設置する。該プラスチック台体は少なくとも一列の端子及び少なくとも一個の係合槽を設置し、その前端は該少なくとも一個の係合槽の挿入口で、該少なくとも一列の端子は一列の第一端子を設置する。該上蓋は頂面を設置し、該プラスチック台体上を蓋合する。該上蓋の頂面前端下方には横方向の区画片を設置し、該区画片両側にはそれぞれ縦方向の側部を設置する。該区画片下方は第一挿入口で、該区画片、該両側部及び該上蓋の頂面は取り囲み第二挿入口を形成する。【選択図】図３
0003145849.tif 000002
【実用新案登録請求の範囲】
【請求項１】
第一電子カード及び第二電子カードを接続し、該第二電子カードは該第一電子カードに比べ薄く、しかも幅が狭く、該第一、二電子カードの一端には相同排列の接点を設置し、  該電子カードコネクターはプラスチック台体、上蓋を設置し、
該プラスチック台体は少なくとも一列の端子及び少なくとも一個の係合槽を設置し、その前端は該少なくとも一個の係合槽の挿入口で、該少なくとも一列の端子は一列の第一端子を設置し、
該上蓋は頂面を設置し、該プラスチック台体上を蓋合し、
該上蓋の頂面前端下方には横方向の区画片を設置し、該区画片両側にはそれぞれ縦方向の側部を設置し、該区画片下方は第一挿入口で、該区画片、両側部及び上蓋の頂面は取り囲み第二挿入口を形成し、
該第一電子カードは該第一挿入口から該係合槽に挿入されると、その接点と該第一端子は電気的に接続し、
該第二電子カードが該第二挿入口から傾斜を呈し挿入される時、その接点は低くなり、該第一端子と電気的に接続することを特徴とする電子カードコネクター。
【請求項２】
請求項１記載の電子カードコネクターにおいて、前記少なくとも一個の係合槽は多数の係合槽を含み、該多数の係合槽は異なる幅或いは高度で、しかも共用空間を備え、これにより異なるサイズの電子カードは挿入定位されることを特徴とする電子カードコネクター。
【請求項３】
請求項１記載の電子カードコネクターにおいて、前記第二挿入口は該少なくとも一個の係合槽より狭いことを特徴とする電子カードコネクター。
【請求項４】
請求項１記載の電子カードコネクターにおいて、前記上蓋は金属材質で、該区画片及び該両側部は該上蓋と一体にプレス成型され、該区画片及び該両側部は該上蓋の頂面前端から反対に折れ下方に向かうことを特徴とする電子カードコネクター。
【請求項５】
請求項３記載の電子カードコネクターにおいて、前記上蓋は金属材質で、しかも内部へ向かい両側片をプレス成型し、該両側片位置は該第二挿入口幅に対応し、こうして該第二電子カード挿入時の軌道を形成することを特徴とする電子カードコネクター。
【請求項６】
請求項１記載の電子カードコネクターにおいて、前記プラスチック台体には第一斜面を設置し、該第二電子カードの挿入時には該第一斜面に沿って傾斜を呈し挿入されることを特徴とする電子カードコネクター。
【請求項７】
請求項６記載の電子カードコネクターにおいて、前記上蓋は内部に向かい突出した第二斜面をプレス成型し、該第一斜面と該第二斜面は相同の傾斜度であることを特徴とする電子カードコネクター。
【請求項８】
請求項１記載の電子カードコネクターにおいて、前記プラスチック台体の前端両側には凹槽を設置し、該区画片の両側は該凹槽に嵌入し定位されることを特徴とする電子カードコネクター。
【考案の詳細な説明】
【技術分野】
【０００１】
本考案はコネクターに関する。特に電子カードに接続する電子カードコネクターに係る。
【背景技術】
【０００２】
コンピュータが使用する電子カードには、マルチメディアストレージカード或いはメモリーカードがあり、現在市販されているメモリーカードにはSecure Digital Card(SDCと略称)、MutiMedia Card(MMCと略称)、Smart Media（登録商標） Card(SMCと略称)、Memory Stick Card(MSCと略称)、Compact Flash Card(CFCと略称)等の多種の規格がある。しかし、各規格のメモリーカードは、その接点位置が皆異なるため、異なる規格のメモリーカードを対応させるためのエレクトリックコネクターも当然それぞれ異なって来る。
使用上の利便性を達成するため、メーカーは各種異なる型態のエレクトリックコネクターを統合し、数種の規格のメモリーカードに適用し使用可能なエレクトリックコネクターの開発を目指している。
【０００３】
図１に示すように、MSCには現在大小２種の異なる規格がある。以下では、大きいカード及び小さいカードと略称する。
該大きいカード10及び該小さいカード15の一端にはそれぞれ相同排列の接点11、16を設置する。該大きいカード10は該小さいカード15より厚く、しかも幅は広い。このため、多数カードの共用コネクターにおいて、大きいカードと小さいカードの挿入時に、共に相同の端子と電気的に接続し、しかも大きいカード及び小さいカードを共に安定的に係合定位させることは、現在未だ達成されていない問題である。もし、コネクター内に、小さいカードを係合定位可能な係合槽を設計すれば、大きいカード或いは他のカードは該係合槽に阻まれ挿入することはできない。
よって、現在のコネクターは大きいカードを係合定位可能な係合槽のみを設置し、小さいカードは弾片により、両側及び上方において弾性圧迫固定している。しかし、このような設計では、小さいカードの定位は不安定で、しかも構造が複雑である。
【考案の開示】
【考案が解決しようとする課題】
【０００４】
本考案の主な目的は、２種の異なる大きさで、しかも相同接点排列を備える電子カードを安定的に、電気的に接続可能な電子カードコネクターを提供することである。
【０００５】
上記の目的を達成するため、本考案は下記の電子カードコネクターを提供する。
電子カードコネクターは第一電子カード及び第二電子カードを接続し、該第二電子カードは該第一電子カードに比べ薄く、しかも幅が狭く、該第一、二電子カードの一端には相同排列の接点を設置し、
該電子カードコネクターはプラスチック台体、上蓋を設置し、
該プラスチック台体は少なくとも一列の端子及び少なくとも一個の係合槽を設置し、その前端は該少なくとも一個の係合槽の挿入口で、該少なくとも一列の端子は一列の第一端子を設置し、
該上蓋は頂面を設置し、該プラスチック台体上を蓋合し、
該上蓋の頂面前端下方には横方向の区画片を設置し、該区画片両側にはそれぞれ縦方向の側部を設置し、
該区画片下方は第一挿入口で、該区画片、該両側部及び該上蓋の頂面は取り囲み第二挿入口を形成し、
該第一電子カードは該第一挿入口から該係合槽に挿入されると、その接点と該第一端子は電気的に接続し、該第二電子カードが該第二挿入口から傾斜を呈し挿入される時、その接点は低くなり、該第一端子と電気的に接続する。
【課題を解決するための手段】
【０００６】
請求項１の考案は、第一電子カード及び第二電子カードを接続し、該第二電子カードは該第一電子カードに比べ薄く、しかも幅が狭く、該第一、二電子カードの一端には相同排列の接点を設置し、
該電子カードコネクターはプラスチック台体、上蓋を設置し、
該プラスチック台体は少なくとも一列の端子及び少なくとも一個の係合槽を設置し、その前端は該少なくとも一個の係合槽の挿入口で、該少なくとも一列の端子は一列の第一端子を設置し、
該上蓋は頂面を設置し、該プラスチック台体上を蓋合し、
該上蓋の頂面前端下方には横方向の区画片を設置し、該区画片両側にはそれぞれ縦方向の側部を設置し、該区画片下方は第一挿入口で、該区画片、両側部及び上蓋の頂面は取り囲み第二挿入口を形成し、
該第一電子カードは該第一挿入口から該係合槽に挿入されると、その接点と該第一端子は電気的に接続し、
該第二電子カードが該第二挿入口から傾斜を呈し挿入される時、その接点は低くなり、該第一端子と電気的に接続することを特徴とする電子カードコネクターとしている。
請求項２の考案は、請求項１記載の電子カードコネクターにおいて、前記少なくとも一個の係合槽は多数の係合槽を含み、該多数の係合槽は異なる幅或いは高度で、しかも共用空間を備え、これにより異なるサイズの電子カードは挿入定位されることを特徴とする電子カードコネクターとしている。
請求項３の考案は、請求項１記載の電子カードコネクターにおいて、前記第二挿入口は該少なくとも一個の係合槽より狭いことを特徴とする電子カードコネクターとしている。
請求項４の考案は、請求項１記載の電子カードコネクターにおいて、前記上蓋は金属材質で、該区画片及び該両側部は該上蓋と一体にプレス成型され、該区画片及び該両側部は該上蓋の頂面前端から反対に折れ下方に向かうことを特徴とする電子カードコネクターとしている。
請求項５の考案は、請求項３記載の電子カードコネクターにおいて、前記上蓋は金属材質で、しかも内部へ向かい両側片をプレス成型し、該両側片位置は該第二挿入口幅に対応し、こうして該第二電子カード挿入時の軌道を形成することを特徴とする電子カードコネクターとしている。
請求項６の考案は、請求項１記載の電子カードコネクターにおいて、前記プラスチック台体には第一斜面を設置し、該第二電子カードの挿入時には該第一斜面に沿って傾斜を呈し挿入されることを特徴とする電子カードコネクターとしている。
請求項７の考案は、請求項６記載の電子カードコネクターにおいて、前記上蓋は内部に向かい突出した第二斜面をプレス成型し、該第一斜面と該第二斜面は相同の傾斜度であることを特徴とする電子カードコネクターとしている。
請求項８の考案は、請求項１記載の電子カードコネクターにおいて、前記プラスチック台体の前端両側には凹槽を設置し、該区画片の両側は該凹槽に嵌入し定位されることを特徴とする電子カードコネクターとしている。
【考案の効果】
【０００７】
本考案は２種の異なる大きさで、しかも相同接点排列を備える電子カードを安定的に、電気的に接続可能である。
【考案を実施するための最良の形態】
【０００８】
図２、図３、図４、図５に示すように、本考案は主に、第一電子カード及び第二電子カードを接続する。該第二電子カードは該第一電子カードに比べ薄く、しかも幅が狭い。該第一、二電子カードの一端には相同排列の接点を設置する。本実施中では第一電子カードは図１に示す大きいカード10で、第二電子カードは小さいカード15である。該大きいカード10の接点11と該小さいカード15の接点16の排列は相同である。本考案はさらにプラスチック台体20、上蓋40及び区画片50及び両側部55を設置する。
【０００９】
該プラスチック台体20は前台21及び後台22により組成し、その上には第一係合槽23(図７の斜線位置参照)、第二係合槽24(図８の斜線位置参照)、第三係合槽25(図９の斜線位置参照)を設置する。
該三係合槽は異なる幅或いは高度で、しかも共用空間を備え、これにより異なるサイズの電子カードは挿入定位される。該第一係合槽23にはSMCを挿入定位可能で、該第二係合槽24にはSDCを挿入定位可能、該第三係合槽25には大きいカード10を挿入定位可能である。
該前台21には一列の第四端子34を設置し、該後台21には一列の第一端子31、一列の第二端子32、及び一列の第三端子33を設置する。該前台21及び該後台22の両側にはそれぞれ２個の係合ブロック26を設置し、該後台22には第一斜面27を設置する。
【００１０】
合わせて図６に示すように、該上蓋40は金属板材をプレス成型し、「コ」の字型を呈し、頂面41及び両側面42を設置する。
該両側面42にはそれぞれ四個の係合孔43を設置し、それが該プラスチック台体20上を蓋合する時、該係合孔43と該プラスチック台体20の係合ブロック26により係合する。
該頂面41前段の両側に近い位置は、それぞれ内部へ向かい両側片45をプレス成型し、しかも中間は内部に向かい突出した第二斜面46をプレス成型する。該第二斜面46と該第一斜面27は相同の傾斜度である。
【００１１】
該区画片50及び該両側部55は、該上蓋40と一体にプレス成型し、該区画片50及び該両側部55は該上蓋40の頂面前端から反対に折れ下方に向かう。該区画片50は横方向に水平を呈し、上方へと第三斜面51を突出する。該第三斜面51と該第二斜面46は相同の傾斜度である。該区画片50両側にはそれぞれ縦方向の側部55を設置する。
該両側部55は該上蓋40の頂面前端に接続し、該区画片50下方は第一挿入口58である。該区画片50上方は第二挿入口59で、該第二挿入口59は該区画片50、該両側部55及び該上蓋40の頂面41により取り囲み形成する。
該両側部55の間隔距離は第二挿入口59の幅で、該第二挿入口59の幅と該小さいカード15の幅は同一で、該第一、二、三係合槽23、24、25より狭い。
該上蓋40内面の両側片45の間隔距離は、ちょうど該第二挿入口59の幅である。
【００１２】
図１０及び図１１に示すように、該大きいカード10が該区画片50下方の第一挿入口58より該第三係合槽25に挿入され定位される時、該大きいカード10上方は該区画片50に支え定位され、その前端の接点11は該第一端子31と電気的に接続する。
図１２及び図１３に示すように、該小さいカード15は該区画片50上方の第二挿入口59から下方への傾斜を呈し挿入定位される。該小さいカード15は挿入時に、該第二挿入口59の幅によりその両側を定位され、しかも該区画片50によりサポートされ、該第一斜面27、該第二斜面46、該第三斜面51により下方への傾斜を呈し挿入される。挿入後は、画両側片45の間隔距離が形成する軌道により前進し、その接点16は下がり、該第一端子31と電気的に接続する。
上記のように、本考案は大きいカード10及び数種の異なるカードが挿入定位される条件においても、小さいカード15は該区画片50上方の第二挿入口59の傾斜により挿入され、該区画片50により定位をサポートされ、安定的に、該第一端子31と電気的に接続することができる。
【００１３】
図１４及び図１５に示すように、本考案第二実施例は第一実施例と凡そ相同であるが、その差異は、該区画片50を上蓋と分離可能な金属片とし、該両側部55はプラスチック台体と一体成型する点である。該プラスチック台体20の前端両側には凹槽28を設置し、該区画片50の両側は該凹槽28に嵌入し定位される。
図１６及び図１７に示すように、本考案第三実施例は第一実施例と凡そ相同であるが、その差異は該区画片50は弾性を備え、上下に弾力による移動が可能で、該区画片50は水平を呈する点である。該小さいカード15が該第二挿入口59から傾斜を呈し下方へと挿入されると、該区画片50を押し弾力により下方へと向かわせる。
図１８に示すように、本考案第四実施例は第一実施例と凡そ相同であるが、その差異は該区画片50と二個の側部55が該プラスチック台体20と一体成型する点である。
【図面の簡単な説明】
【００１４】
【図１】２種のメモリーカードの立体図である。
【図２】本考案第一実施例の立体分解図である。
【図３】本考案第一実施例の立体組合せ図である。
【図４】本考案第一実施例の前面図である。
【図５】本考案第一実施例の側面図である。
【図６】本考案第一実施例の上蓋内面立体図である。
【図７】本考案第一実施例の第一係合槽の前面概略図である。
【図８】本考案第一実施例の第二係合槽の前面概略図である。
【図９】本考案第一実施例の第三係合槽の前面概略図である。
【図１０】本考案第一実施例の大きいカード挿入状態の上面図である。
【図１１】本考案第一実施例の大きいカード挿入状態の側面断面図である。
【図１２】本考案第一実施例の小さいカード挿入状態の上面図である。
【図１３】本考案第一実施例の小さいカード挿入状態の側面断面図である。
【図１４】本考案第二実施例の立体分解図である。
【図１５】本考案第二実施例の前面図である。
【図１６】本考案第三実施例の側面断面図である。
【図１７】本考案第三実施例の小さいカード挿入状態の側面断面図である。
【図１８】本考案第四実施例の立体図である。
【符号の説明】
【００１５】
10  大きいカード
11  接点
15  小さいカード
16  接点
20  プラスチック台体
21  前台
22  後台
23  第一係合槽
24  第二係合槽
25  第三係合槽
26  係合ブロック
27  第一斜面
28  凹槽
31  第一端子
32  第二端子
33  第三端子
34  第四端子
40  上蓋
41  頂面
42  両側面
43  係合孔
45  側片
46  第二斜面
50  区画片
51  第三斜面
55  側部
58  第一挿入口
59  第二挿入口
【図１】
0003145849.tif 000003
【図２】
0003145849.tif 000004
【図３】
0003145849.tif 000005
【図４】
0003145849.tif 000006
【図５】
0003145849.tif 000007
【図６】
0003145849.tif 000008
【図７】
0003145849.tif 000009
【図８】
0003145849.tif 000010
【図９】
0003145849.tif 000011
【図１０】
0003145849.tif 000012
【図１１】
0003145849.tif 000013
【図１２】
0003145849.tif 000014
【図１３】
0003145849.tif 000015
【図１４】
0003145849.tif 000016
【図１５】
0003145849.tif 000017
【図１６】
0003145849.tif 000018
【図１７】
0003145849.tif 000019
【図１８】
0003145849.tif 000020